(57)【要約】【課題】入力画像の歪みを抑制するとともに認識されやすい画像を出力可能なマルチ画像表示装置や、マルチ画像表示装置に用いられる画像処理装置を提供する。【解決手段】複数の画像表示装置Ｄを備えて１つの入力画像の表示を行うマルチ画像表示装置１において、それぞれの画像表示装置Ｄで表示されるべき分割画像が拡大されて拡大画像Ｅが生成される。マルチ画像表示装置１の端部に備えられる画像処理装置Ｄで生成される拡大画像Ｅは、分割画像を当該端部と反対側となる端部側に拡大したものとなる。この構成により、入力画像の端部が表示される。【選択図】図７
2010039445.tif 000002
【特許請求の範囲】
【請求項１】
１つの入力画像を、境界部を隔てて互いに隣接する複数の表示部にまたがって表示するマルチ画像表示装置であって、
前記入力画像を、複数の前記表示部のそれぞれで表示されるべき分割画像に分割する分割部と、
前記分割部で得られた前記分割画像を拡大して前記表示部よりも大きい拡大画像を生成する拡大部と、を備え、
前記表示部が、前記拡大画像のうち当該表示部と重なる部分を表示するものであり、
前記表示部が前記マルチ画像表示装置の端部に配置されるものであるとき、
前記拡大部が、当該表示部に表示されるべき前記分割画像を、当該端部の反対側となる端部側に拡大させて前記拡大画像を生成することを特徴とするマルチ画像表示装置。
【請求項２】
前記表示部が前記マルチ画像表示装置の端部に配置されるものであるとき、前記拡大部が、当該端部側の端辺が前記表示部の当該端部側の端辺に重なる前記拡大画像を生成することを特徴とする請求項１に記載のマルチ画像表示装置。
【請求項３】
所定の方向に沿って前記表示部がｆ個備えられ、前記所定の方向の一方の端部に配置される前記表示部を１番目、前記一方の端部と反対側となる他方の端部に配置される前記表示部をｆ番目とし、前記一方の端部から前記他方の端部に向かって順に増大する番号を用いて前記表示部の位置を表現する場合、
ｘ番目の前記表示部について、
前記拡大画像が前記表示部から突出する長さを１とすると、
前記拡大画像が前記表示部から前記一方の端部側に突出する長さが（ｘ−１）／（ｆ−１）となり、前記他方の端部側に突出する長さが（ｆ−ｘ）／（ｆ−１）となることを特徴とする請求項１または請求項２に記載のマルチ画像表示装置。
【請求項４】
１つの入力画像を、境界部を隔てて互いに隣接する複数の表示部にまたがって表示するマルチ画像表示装置に備えられる画像処理装置であって、
前記入力画像を、複数の前記表示部のそれぞれで表示されるべき分割画像に分割する分割部と、
前記分割部で得られた前記分割画像を拡大して前記表示部よりも大きい拡大画像を生成する拡大部と、を備え、
前記表示部が、前記拡大画像のうち当該表示部と重なる部分を表示するものであり、
前記表示部が前記マルチ画像表示装置の端部に配置されるものであるとき、
前記拡大部が、当該表示部に表示されるべき前記分割画像を、当該端部の反対側となる端部側に拡大させて前記拡大画像を生成することを特徴とする画像処理装置。
【発明の詳細な説明】
【技術分野】
【０００１】
本発明は、画像表示装置を複数備えるとともに１つの画像の表示を行うマルチ画像表示装置に関する。また、マルチ画像表示装置に備えられる画像処理装置に関する。
【背景技術】
【０００２】
近年、画像表示装置の大画面化が進んでいる。特に、一つの画像表示装置の大画面化だけでなく、複数の画像表示装置を組み合わせて大画面化を図るもの（以下、マルチ画像表示装置とする）がある（特許文献１〜３参照）。
【０００３】
このようなマルチ画像表示装置を構成する各画像表示装置は、表示部（例えば、液晶パネル）と、その周囲に設けられる非表示の筐体部分（以下、ベゼル部とする）と、を備える。そして、このベゼル部が存在するため、マルチ画像表示装置の画面が複数の画面に分断されたものとなり、不連続なものとなる。
【０００４】
画面が不連続となることによる問題の一つを、図１１を参照して説明する。図１１は、従来のマルチ画像表示装置の一例について示す模式図である。また、図１１は、一つの入力画像１００を４分割するとともに、分割されたそれぞれの画像を４つの画像表示装置１１０ａ〜１１０ｄを備えたマルチ画像表示装置１１０でそのまま表示する場合について示している。なお、マルチ画像表示装置１１０は、水平方向に２個、垂直方向に２個の画像表示装置１１０ａ〜１１０ｄを組み合わせて構成されるものとする。また、そのまま表示するとは、ベゼル部１１１を挟んで表示される２つの画像を隣接させた場合に、連続的な画像になることを示す。
【０００５】
図１１に示すように、４分割された画像のそれぞれを画像表示装置１１０ａ〜１１０ｄにそのまま表示すると、画像が歪んだものとなる。例えば、図１１に示すように、ベゼル部１１１をまたいで真円を表示すると、ベゼル部１１１の部分で円が切れて離れ、ベゼル部１１１の幅が挿入される。そのため、全体として楕円に近い形状となる。したがって、表示される画像が歪んだものとなる。
【０００６】
一方、表示される画像が歪むことを抑制したマルチ画像表示装置の一例を図１２に示す。図１２は、従来のマルチ画像表示装置の一例について示す模式図である。図１２においても、図１１と同様に、入力画像１００を４分割したそれぞれの画像を、４つの画像表示装置１２０ａ〜１２０ｄでそれぞれ表示する場合を示している。ただし、このマルチ画像表示装置１２０では、ベゼル部１２１も表示が可能な領域とみなして画像の表示を行う。特に、分割後の画像をそれぞれ拡大し、ベゼル部１２１上となる部分にも画像を割り当てる。なお、ベゼル部１２１上に割り当てられる画像は実際には表示されないため、図１２中では破線で示す。そして、図１２に示すように、このマルチ画像表示装置１２０を用いると、図１１に示したような画像の歪みが抑制される。
【０００７】
【特許文献１】特開平８−１２６０１８号公報
【特許文献２】特開２０００−３２１５９７号公報
【特許文献３】特開２００３−１６９２７１号公報
【発明の開示】
【発明が解決しようとする課題】
【０００８】
しかしながら、図１２に示すマルチ画像表示装置１２０では、外周のベゼル部１２１（図１２に示す例では、左端及び右端）上にも画像が割り当てられる。即ち、入力画像１００の端部がベゼル部１２１と重なり、該端部が非表示となる。入力画像１００の端部の画像は、中央部の画像と異なり周辺の画像から推測することが比較的困難である。そのため、入力画像１００の端部が画面に表示されないと、画像が非常に認識されにくい。
【０００９】
さらに、マルチ画像表示装置１２０を、例えばパソコンなどのディスプレイとして利用する場合、マウスポインタなどのＧＵＩ（Graphical User Interface）が入力画像１００の端部に位置して非表示になると、著しく操作性が悪化する。特に、ＧＵＩが中央部のベゼル部に隠れるよりも、端部のベゼル部に隠れた方がユーザから発見されにくくなり、認識され難いものとなる。
【００１０】
そこで、本発明は、入力画像の歪みを抑制するとともに認識されやすい画像を出力可能なマルチ画像表示装置や、マルチ画像表示装置に用いられる画像処理装置を提供することを目的とする。
【課題を解決するための手段】
【００１１】
上記目的を達成するために、本発明におけるマルチ画像表示装置は、１つの入力画像を、境界部を隔てて互いに隣接する複数の表示部にまたがって表示するマルチ画像表示装置であって、前記入力画像を、複数の前記表示部のそれぞれで表示されるべき分割画像に分割する分割部と、前記分割部で得られた前記分割画像を拡大して前記表示部よりも大きい拡大画像を生成する拡大部と、を備え、前記表示部が、前記拡大画像のうち当該表示部と重なる部分を表示するものであり、前記表示部が前記マルチ画像表示装置の端部に配置されるものであるとき、前記拡大部が、当該表示部に表示されるべき前記分割画像を、当該端部の反対側となる端部側に拡大させて前記拡大画像を生成することを特徴とする。
【００１２】
なお、以下の実施例においては、境界部の一例としてベゼル部を挙げて説明する。また、分割部の一例として、各画像処理装置に備えられる画像取得部を挙げて説明する。また、拡大部の一例として、各画像処理装置に備えられる画像拡大部を挙げて説明する。
【００１３】
また、上記構成のマルチ画像表示装置において、前記拡大部が、当該表示部に表示されるべき前記分割画像を、当該端部側よりも反対側となる端部側に大きく拡大させて前記拡大画像を生成することとしても構わない。
【００１４】
また、上記構成のマルチ画像表示装置において、前記表示部が前記マルチ画像表示装置の端部に配置されるものであるとき、前記拡大部が、当該端部側の端辺が前記表示部の当該端部側の端辺に重なる前記拡大画像を生成することとしても構わない。
【００１５】
このように構成すると、マルチ画像表示装置によって表示される画像の端部を、確実に表示することが可能となる。そのため、表示される画像を認識し易いものにすることが可能となる。
【００１６】
また、上記構成のマルチ画像表示装置において、前記分割画像が、前記入力画像を前記マルチ画像表示装置に備えられる前記画像表示装置の数で等しく分割されたものであるとともに、前記拡大部による前記分割画像のそれぞれの拡大率が、全て等しいこととしても構わない。
【００１７】
このように構成すると、それぞれの分割画像が異なる拡大率で拡大されることが防止される。そのため、マルチ画像表示装置で表示される画像が歪むことが抑制される。
【００１８】
また、上記構成のマルチ画像表示装置において、所定の方向に沿って２つの前記画像表示装置が隣接して備えられ、それぞれの前記画像表示装置について得られる拡大画像の２つの該画像表示装置間に突出するそれぞれの端辺が、重なることとしても構わない。
【００１９】
このように構成すると、拡大画像の端辺が接続されて連続的な画像となる。そのため、不連続となったり重複したりすることによって、表示される出力画像が歪むことが抑制される。
【００２０】
また、上記構成のマルチ画像表示装置において、所定の方向に沿って前記表示部がｆ個備えられ、前記所定の方向の一方の端部に配置される前記表示部を１番目、前記一方の端部と反対側となる他方の端部に配置される前記表示部をｆ番目とし、前記一方の端部から前記他方の端部に向かって順に増大する番号を用いて前記表示部の位置を表現する場合、
ｘ番目の前記表示部について、前記拡大画像が前記表示部から突出する長さを１とすると、前記拡大画像が前記表示部から前記一方の端部側に突出する長さが（ｘ−１）／（ｆ−１）となり、前記他方の端部側に突出する長さが（ｆ−ｘ）／（ｆ−１）となることとしても構わない。
【００２１】
このように構成すると、拡大画像の端辺を確実に重ねて接続することが可能となる。そのため、拡大画像を連続的な画像とすることが可能となる。したがって、表示される出力画像が歪むことが抑制される。
【００２２】
また、本発明の画像処理装置は、１つの入力画像を、境界部を隔てて互いに隣接する複数の表示部にまたがって表示するマルチ画像表示装置に備えられる画像処理装置であって、前記入力画像を、複数の前記表示部のそれぞれで表示されるべき分割画像に分割する分割部と、前記分割部で得られた前記分割画像を拡大して前記表示部よりも大きい拡大画像を生成する拡大部と、を備え、前記表示部が、前記拡大画像のうち当該表示部と重なる部分を表示するものであり、前記表示部が前記マルチ画像表示装置の端部に配置されるものであるとき、前記拡大部が、当該表示部に表示されるべき前記分割画像を、当該端部の反対側となる端部側に拡大させて前記拡大画像を生成することを特徴とする。
【発明の効果】
【００２３】
本発明の構成とすると、マルチ画像表示装置において出力画像を表示したときに、端部の画像が表示されることとなる。そのため、認識しやすい画像を表示することが可能となる。さらに、ＧＵＩがユーザに発見されやすいものとなり、操作性が損なわれることが抑制される。
【発明を実施するための最良の形態】
【００２４】
以下、本発明における画像処理装置やマルチ画像表示装置の実施形態について、図面を参照して説明する。最初に、マルチ画像表示装置の構成例及び動作例について説明する。
【００２５】
＜＜マルチ画像表示装置＞＞
まず、マルチ画像表示装置に備えられる画像表示装置の構成例について、図１を参照して説明する。図１は、画像表示装置の構成の一例について示す模式図である。図１に示すように、画像表示装置Ｄは、画像を表示する領域である表示部Ｌと、表示部Ｌの周囲に設けられるとともに画像を表示しない領域であるベゼル部Ｂと、を備える。表示部Ｌは、例えば液晶パネルなどから成る。またベゼル部Ｂは、例えば筐体などから成る。
【００２６】
図２に、マルチ画像表示装置１の構成例を示す。図２は、本発明の実施形態におけるマルチ画像表示装置の構成の一例について示すブロック図である。
【００２７】
図２に示すように、マルチ画像表示装置１は、複数の画像表示装置Ｄを備える。図２では、一例として水平方向に３個、水平方向に対して略垂直な方向となる垂直方向に対して３個、合計で９個の画像表示装置Ｄを配置する場合について示している。ここで、水平方向を図中の左右方向、垂直方向を図中の上下方向とする。また、画像表示装置Ｄが配置される位置を特定するために、符号Ｄｉ，ｊで表現する（ただし、ｉ，ｊはともに自然数）。水平位置番号ｉは、水平方向の位置を示し、垂直位置番号ｊは垂直方向の位置を示す。また、図２では、左方から右方の位置になるにしたがって水平位置番号ｉが増大し、上方から下方の位置になるにしたがって垂直位置番号ｊが増大することとする。また、マルチ画像表示装置１の左上に配置される画像表示装置の符号をＤ１，１とする。
【００２８】
それぞれの画像表示装置Ｄ１，１〜Ｄ３，３には、それぞれ画像処理部Ｐ１，１〜Ｐ３，３が備えられる。画像処理部Ｐ１，１〜Ｐ３，３も、画像表示装置Ｄ１，１〜Ｄ３，３と同様の方法で表現する。即ち、符号Ｐｉ，ｊで表現する。なお、ある画像表示装置Ｄｉ，ｊの水平位置番号ｉ及び垂直位置番号ｊと、ある画像表示装置Ｄｉ，ｊに備えられる画像処理部Ｐｉ，ｊの水平位置番号ｉ及び垂直位置番号ｊとはそれぞれ同じものになることとする。
【００２９】
また、マルチ画像表示装置１には、画像出力装置１０から入力画像の信号が入力される。図２では、一例として、画像表示装置Ｄ１，１に入力された入力画像が、Ｄ２，１、Ｄ３，１、Ｄ３，２、Ｄ２，２、Ｄ１，２、Ｄ１，３、Ｄ２，３、Ｄ３，３の順に伝えられ、結果的に全ての画像表示装置Ｄ１，１〜Ｄ３，３に入力画像が直列的に入力される構成を示している。なお、例えば、画像表示装置Ｄ１，１〜Ｄ３，３と画像出力装置１０とがそれぞれ接続され、画像出力装置１０が画像表示装置Ｄ１，１〜Ｄ３，３に対して並列的に入力画像を入力する構成としても構わない。画像表示装置Ｄ１，１〜Ｄ３，３が、自機が表示すべき画像を取得可能な構成であれば、どのような構成であっても構わないものとする。ただし、上記のように入力画像が画像表示装置Ｄ１，１〜Ｄ３，３に直列的に入力されることとすると、画像出力装置１０及び画像表示装置Ｄ１，１〜Ｄ３，３の配線などの構成が簡素化されるため好ましい。
【００３０】
入力画像の信号には同期信号が含まれ、それぞれの画像表示装置Ｄ１，１〜Ｄ３，３で同期が取られて表示される。このとき、それぞれの画像表示装置Ｄ１，１〜Ｄ３，３に備えられるそれぞれの画像処理部Ｐ１，１〜Ｐ３，３は、予め設定された表示設定に基づき表示すべき画像（出力画像）を生成する。特に、入力される入力画像から表示すべき部分を取得し、かつ所定の処理を行うことで出力画像を生成する。なお、画像処理部Ｐ１，１〜Ｐ３，３の構成の詳細については後述する。
【００３１】
なお、マルチ画像表示装置１に備えられる画像表示装置Ｄの数は、どのような数であっても構わない。特に、水平方向にｍ個、垂直方向にｎ個、合計でｍ×ｎ個備えることとしても構わない（ｍ、ｎは自然数であり、ｉ≦ｍ及びｊ≦ｎを満たす）。また、一つのマルチ画像表示装置１に備えられる複数の画像表示装置Ｄは、図２に示すように全て同様のタイプ（特に、表示部やベゼル部などの形状や大きさ、配置などが同様）のものであると好ましい。
【００３２】
また、画像表示装置Ｄとして、例えば、液晶表示装置などの表示装置を適用することとしても構わない。また、画像出力装置１０として、例えば、テレビジョン放送を受信する受信装置や、記録媒体に記録された画像を出力する再生装置、パソコンなどを適用することとしても構わない。
【００３３】
＜＜画像処理部＞＞
＜基本構成＞
次に、本発明の実施形態に係る画像処理部について図面を参照して説明する。まず、基本構成例について図３を参照して説明する。図３は、画像処理部の基本構成例について示すブロック図である。なお、図３に示す画像処理部Ｐは、図２に示したマルチ画像表示装置１に用いられるものである。
【００３４】
図３に示すように、画像処理部Ｐは、入力される入力画像から表示すべき部分の画像（以下、分割画像とする）を取得する画像取得部ＰＡと、画像取得部ＰＡで取得された分割画像に対して拡大処理を施して拡大画像を生成する画像拡大部ＰＢと、画像拡大部ＰＢから得られる拡大画像から出力画像を得る画像調整部ＰＣと、を備える。
【００３５】
上述のように、画像処理部Ｐは、隣接する次の画像表示装置Ｄに対して入力画像を伝える。また、画像取得部ＰＡは、入力画像から画像表示装置Ｄで表示するための分割画像を取得する。なお、以下では説明の簡略化のため、一つのマルチ画像表示装置１に備えられる全ての画像表示装置Ｄが全て同じタイプであるものとする。また、分割画像は、入力画像を一つのマルチ画像表示装置１に備えられる画像表示装置Ｄの総数（ｍ×ｎ、図２では３×３＝９）で等分割した画像であることとする。
【００３６】
画像拡大部ＰＢは、画像取得部ＰＡで取得された分割画像を拡大して拡大画像を生成する。このとき、画像拡大部ＰＢは、ベゼル部Ｂを表示可能な領域とみなして画像を拡大することで拡大画像を生成する。この画像拡大部ＰＢによる拡大処理について、図４を参照して説明する。図４は、画像拡大部による拡大処理の概略について示す模式図である。なお、図４（ａ）及び（ｂ）は、画像表示装置の表示部Ｌと拡大画像Ｅａ，Ｅｂとを示したものである。なお、図４（ａ）及び（ｂ）では、表示部Ｌを破線で示し、拡大画像Ｅａ，Ｅｂを太い実線で示す。
【００３７】
図４（ａ）及び（ｂ）に示すように、画像拡大部ＰＢは、分割画像を拡大処理して拡大画像Ｅａ，Ｅｂを得る。拡大画像Ｅａ，Ｅｂは、少なくとも表示部Ｌより大きいものとなる。また、拡大画像Ｅａ，Ｅｂの一部は、表示部Ｌから突出してベゼル部Ｂ中にまで拡がる。図４（ａ）では、表示部Ｌの四方（上方、下方、左方及び右方）に対して分割画像を拡大させて生成される拡大画像Ｅａの一例を示している。また、図４（ｂ）では、下方及び右方に突出するように拡大させた拡大画像Ｅｂの一例を示している。
【００３８】
このように、表示部Ｌの位置を基準として、拡大させる方向（突出させる方向）を表現することとする。なお、この画像拡大部ＰＢによる拡大画像の生成方法については、後述する画像処理部Ｐの各実施例において詳細に説明する。
【００３９】
画像拡大部ＰＢによって得られる拡大画像は、画像調整部ＰＣによって調整処理されて出力画像が生成される。画像調整部ＰＣは、拡大画像から表示部Ｌで表示される部分のみを取得することにより、出力画像を生成する。例えば、図４（ａ）において、拡大画像Ｅａの表示部Ｌと重なっている部分が出力画像となる。
【００４０】
なお、画像拡大部ＰＢが、例えば補間処理を行うこととしても構わない。補間処理とは、求めたい部分の周辺の画素値を用いて、当該部分の画素値を求める処理である。例えば、画像の拡大により拡がった画素と画素との間に、新たな画素を挿入する際に行う処理である。
【００４１】
また、画像処理部Ｐに、入力画像の信号を一時的に保持するバッファなどを設けることとしても構わない。
【００４２】
また、以下に画像処理部の各実施例について説明する。特に、画像拡大部ＰＢにおける拡大処理について説明する。なお、画像取得部ＰＡや画像調整部ＰＣなどの動作は各実施例において共通であり、上述の基本構成例と同様のものとなるため、詳細な説明は省略する。
【００４３】
＜第１実施例＞
第１実施例について図面を参照して説明する。図５は、第１実施例の画像処理部における処理方法を決定するフローチャートである。また、図６は、画像処理部の処理方法をユーザが調整する際に確認する設定画面の一例である。なお、図５に示すフローチャートは、各画像処理部Ｐの処理に関するものであり、各画像処理部Ｐの処理方法は個別に設定され得るものとする。また、図６に示す設定画面が、例えば、画像表示装置Ｄの表示部Ｌに表示されるものとしても構わない。
【００４４】
図５に示すように、画像処理部Ｐは、最初にマルチ表示を行う設定になっているか否かを確認する（ＳＴＥＰ１）。例えば、図６に示す例においてマルチ表示モードがＯＮに設定されていれば、マルチ表示モードが行われる。ここで、マルチ表示を行わない設定になっている場合（ＳＴＥＰ１、ＮＯ）、通常表示を行うことを決定して終了する（ＳＴＥＰ２）。
【００４５】
通常表示とは、例えば、１つの画像表示装置Ｄのみによる表示や、複数の画像表示装置Ｄが独立して行う表示などである。なお、１つの画像表示装置Ｄが表示を行う場合であったとしても、画像取得部ＰＡによる分割画像の生成や、画像拡大部ＰＢによる拡大画像の生成、画像調整部ＰＣによる出力画像の生成を行うこととしても構わない。具体的に図６に示す例において、拡大処理の程度（拡大率）を示す水平ベゼル調整及び垂直ベゼル調整の値が０より大きければ、拡大処理を行うこととしても構わない。さらにこの場合、四方に対して拡大を行うこととしても構わない。
【００４６】
一方、マルチ表示を行う設定になっている場合（ＳＴＥＰ１、ＹＥＳ）、画像拡大部ＰＢによる拡大処理の方法が決定される。図５に示す例では、まず、水平方向の拡大処理の方法が設定される。
【００４７】
水平方向の拡大処理の方法を決定する場合、最初に、画像表示装置Ｄの水平位置番号ｉが１か否かが確認される（ＳＴＥＰ３）。水平位置番号ｉが１であれば（ＳＴＥＰ３、ＹＥＳ）、その画像表示装置Ｄ１，ｊは、マルチ画像表示装置１の左端に配置されたものである（図２参照）。この場合、画像拡大部ＰＢは、分割画像の左端を表示部Ｌの左端に固定するとともに、右方に拡大する（ＳＴＥＰ４）。このときの拡大率は、例えば、図６の水平ベゼル調整の値によって決定される。
【００４８】
水平位置番号ｉが１でない場合（ＳＴＥＰ３、ＮＯ）、次に、水平位置番号ｉが水平方向に備えられる画像表示装置の数ｍであるか否かが確認される（ＳＴＥＰ５）。水平位置番号ｉがｍであれば（ＳＴＥＰ５、ＹＥＳ）、その画像表示装置Ｄｍ，ｊはマルチ画像表示装置１の右端に配置されたものである（図２参照）。この場合、画像拡大部ＰＢは、分割画像の右端を表示部Ｌの右端に固定するとともに、左方に拡大する（ＳＴＥＰ６）。このときの拡大率は、例えば、図６の水平ベゼル調整の値によって決定される。
【００４９】
水平位置番号ｉがｍでない場合（ＳＴＥＰ５、ＮＯ）、その画像表示装置Ｄｉ，ｊの左右方向には他の画像表示装置Ｄｉ−１，ｊ，Ｄｉ＋１，ｊが存在することとなる（図２参照）。この場合、画像拡大部ＰＢは、分割画像を表示部Ｌの左方及び右方の両方向に拡大する（ＳＴＥＰ７）。このときの拡大率は、例えば、図６の水平ベゼル調整の値によって決定される。
【００５０】
水平方向の拡大処理の方法が決定されると、次に、垂直方向の拡大処理の方法が決定される。垂直方向の拡大処理の方法を決定する場合、最初に、画像表示装置Ｄの垂直位置番号ｊが１か否かが確認される（ＳＴＥＰ８）。垂直位置番号ｊが１であれば（ＳＴＥＰ８、ＹＥＳ）、その画像表示装置Ｄｉ，１はマルチ画像表示装置１の上端に配置されたものである（図２参照）。この場合、画像拡大部ＰＢは、分割画像の上端を表示部Ｌの上端に固定するとともに、下方に拡大する（ＳＴＥＰ９）。このときの拡大率は、例えば、図６の垂直ベゼル調整の値によって決定される。
【００５１】
垂直位置番号ｊが１でない場合（ＳＴＥＰ８、ＮＯ）、次に、垂直位置番号ｊが水平方向に備えられる画像表示装置の数ｎであるか否かが確認される（ＳＴＥＰ１０）。垂直位置番号ｊがｎであれば（ＳＴＥＰ１０、ＹＥＳ）、その画像表示装置Ｄｉ，ｎはマルチ画像表示装置１の下端に配置されたものである（図２参照）。この場合、画像拡大部ＰＢは、分割画像の下端を表示部Ｌの下端に固定するとともに、上方に拡大する（ＳＴＥＰ１１）。このときの拡大率は、例えば、図６の垂直ベゼル調整の値によって決定される。
【００５２】
垂直位置番号ｊがｎでない場合（ＳＴＥＰ１０、ＮＯ）、その画像表示装置Ｄｉ，ｊの上下方向には他の画像表示装置Ｄｉ，ｊ−１，Ｄｉ，ｊ＋１が存在することとなる（図２参照）。この場合、画像拡大部ＰＢは、分割画像を表示部Ｌの下方及び上方の両方向に拡大する（ＳＴＥＰ１２）。このときの拡大率は、例えば、図６の垂直ベゼル調整の値によって決定される。そして、以上のように、画像処理部Ｐの処理方法が決定されて終了する。
【００５３】
以上の図５に示した処理について、水平位置番号ｉを確認する際に、例えば、図６の水平位置の値を用いることができる。また、垂直位置番号ｊを確認する際に、例えば、図６の垂直位置の値を用いることができる。また、水平方向に備えられる画像表示装置の数ｍを確認する際に、例えば、図６の水平セット台数の値を用いることができる。また、垂直方向に備えられる画像表示装置の数ｎを確認する際に、例えば、図６の垂直セット台数の値を用いることができる。
【００５４】
上記のように設定された方法によって得られる拡大画像の一例について、図７に示す。図７は、マルチ画像表示装置に拡大画像を重ねて表示した模式図である。図７は、図２に示したマルチ画像表示装置と同様の構成である。即ち、水平方向に３個、垂直方向に３個、合計で９個の画像表示装置から成るマルチ画像表示装置について示すものである。
【００５５】
図７では、図４と同様に各画像表示装置Ｄの表示部Ｌを破線で示し、拡大画像Ｅを太い実線で示している。また、表示部Ｌに、画像表示装置Ｄｉ，ｊと同様に同じ水平位置番号ｉ及び垂直位置番号ｊを付して表現する。なお、ある画像表示装置Ｄｉ，ｊの水平位置番号ｉ及び垂直位置番号ｊと、ある画像表示装置Ｄｉ，ｊに備えられる表示部Ｌｉ，ｊの水平位置番号ｉ及び垂直位置番号ｊとはそれぞれ同じものになることとする。また、各拡大画像Ｅｉ，ｊも同様に表現する。
【００５６】
図７に示すように、マルチ画像表示装置１の左端に備えられる画像表示装置Ｄ１，１〜Ｄ１，３では、表示部Ｌ１，１〜Ｌ１，３の左方の端辺と、拡大画像Ｅ１，１〜Ｅ１，３の左方の端辺とが重なる。そして、拡大画像Ｅ１，１〜Ｅ１，３の右方の端辺が、表示部Ｌ１，１〜Ｌ１，３の右方の端辺から突出する。また、マルチ画像表示装置１の右端に備えられる画像表示装置Ｄ３，１〜Ｄ３，３では、表示部Ｌ３，１〜Ｌ３，３の右方の端辺と、拡大画像Ｅ３，１〜Ｅ３，３の右方の端辺とが重なる。そして、拡大画像Ｅ３，１〜Ｅ３，３の左方の端辺が、表示部Ｌ３，１〜Ｌ３，３の左方の端辺から突出する。
【００５７】
垂直方向についても同様となる。マルチ画像表示装置１の上端に備えられる画像表示装置Ｄ１，１〜Ｄ３，１では、表示部Ｌ１，１〜Ｌ３，１の上方の端辺と、拡大画像Ｅ１，１〜Ｅ３，１の上方の端辺とが重なる。そして、拡大画像Ｅ１，１〜Ｅ３，１の下方の端辺が、表示部Ｌ１，１〜Ｌ３，１の下方の端辺から突出する。また、マルチ画像表示装置１の下方の端部に備えられる画像表示装置Ｄ１，３〜Ｄ３，３では、表示部Ｌ１，３〜Ｌ３，３の下方の端辺と、拡大画像Ｅ１，３〜Ｅ３，３の下方の端辺とが重なる。そして、拡大画像Ｅ１，３〜Ｅ３，３の上方の端辺が、表示部Ｌ１，３〜Ｌ３，３の上方の端辺から突出する。
【００５８】
また、マルチ画像表示装置１の四方のどの端部にも位置しない画像表示装置Ｄ２，２において得られる拡大画像Ｅ２，２は、表示部Ｌ２，２の四方の端辺の全てから突出する。
【００５９】
以上のように構成すると、マルチ画像表示装置１の端部において、拡大画像Ｅの端辺が表示部Ｌの端辺に近づけられる。そのため、この拡大画像に基づいた出力画像を表示したときに、端部の画像が表示されやすくなる。したがって、認識しやすい画像を表示することが可能となる。さらに、ＧＵＩがユーザに発見されやすいものとなり、操作性が損なわれることを抑制することが可能となる。
【００６０】
なお、全ての拡大画像Ｅの拡大率ｗを等しいものとしても構わない。拡大率ｗを等しいものとすることにより、それぞれの画像が異なる拡大率で拡大されることが防止されるため、表示される画像が歪むことを抑制することができる。
【００６１】
また、以下に説明する拡大率ｗを採用すると、さらに歪みを抑制することができるため好ましい。なお、以下では、水平方向の拡大率ｗＨについて主に説明する。
【００６２】
拡大率ｗＨ＝｛（表示部Ｌの水平方向の長さの和）＋（水平方向に隣接する表示部Ｌ間の長さの和）｝／（入力画像の水平方向の長さ）  …（１）
【００６３】
ここで、式（１）中の（表示部Ｌの水平方向の長さの和）とは、水平方向に整列する表示部（例えば、表示部Ｌ１，１〜Ｌ３，１）の水平方向の長さの和である。また、（水平方向に隣接する表示部Ｌ間の長さの和）とは、水平方向に隣接する表示部Ｌに挟まれるベゼル部Ｂの水平方向の長さの和（例えば、表示部Ｌ１，１及びＬ２，１の間の長さと表示部Ｌ２，１及びＬ３，１の間の長さとの和）を指す。式（１）のような拡大率ｗＨを用いると、図７に示すように、隣接する表示部Ｌから水平方向に突出した拡大画像の端辺がちょうど重なる。
【００６４】
例えば、拡大画像Ｅ１，１の右方の端辺と拡大画像Ｅ２，１の左方の端辺とが重なる。このとき、隣接する表示部Ｌ間の水平方向の長さをｋＨとすると、拡大画像Ｅ１，１は、表示部Ｌ１，１の右端から２ｋＨ／３だけ突出するように拡大される。また、拡大画像Ｅ２，１は、表示部Ｌ２，１の左端からｋＨ／３だけ突出し、かつ表示部Ｌ２，１の右端からｋＨ／３だけ突出するように拡大される。そのため、表示部Ｌ１，１と表示部Ｌ２，１との間に、拡大画像Ｅ１，１及び拡大画像Ｅ２，１がそれぞれ突出して接続され、連続的な画像となる。したがって、図１１のように表示される画像が歪むことが抑制される。
【００６５】
また、上述した例は、水平方向に３個、垂直方向に３個で合計９個の画像表示装置Ｄを備えたマルチ画像表示装置１に適用する場合について述べたものであるが、本実施例はこの例に限定されるものではない。例えば、２つの場合でも本実施例を好適に適用できる。この場合、隣接する２つの表示部Ｌの間に突出する２つの拡大画像の長さは、それぞれｋＨ／２となる。
【００６６】
また、垂直方向の拡大率ｗＶも、水平方向の拡大率ｗＨと同様に設定することが可能である。なお、垂直方向の拡大率ｗＶについては、上記の説明において水平方向として説明した箇所を垂直方向に読み替えて解釈すれば足りるため、詳細な説明については省略する。
【００６７】
また、図６においてマルチ表示モードがＯＮになっていたとしても、水平セット台数及び垂直セット台数がともに１に設定されている場合は、ＳＴＥＰ２の通常表示を行わせることとしても構わない。
【００６８】
また、分割画像の大きさが、表示部Ｌの大きさと等しいものとしても構わない。特に、入力画像の水平方向（垂直方向）の長さと、表示部Ｌの水平方向（垂直方向）の長さの和と、が等しいものであっても構わない。この場合、例えば水平方向であれば、（ｗＨ−１）×（分割画像の水平方向の長さ）が、拡大画像Ｅが表示部Ｌから水平方向に突出する長さとなる。
【００６９】
また、図５に示すフローチャートのＳＴＥＰ４、ＳＴＥＰ６、ＳＴＥＰ９及びＳＴＥＰ１１において、マルチ画像表示装置１の端部（左端、右端、上端及び下端）に配置された表示部Ｌのそれぞれの端部に分割画像のそれぞれの端部を固定することとしたが、必ずしも固定を要するものではない。例えば、分割画像の端部を表示部Ｌの端部に固定する代わりに、表示部Ｌの当該端部側よりも反対側となる端部側に大きく拡大させて拡大画像を生成することとしても構わない。
【００７０】
＜第２実施例＞
次に、第２実施例について説明する。第２実施例は、第１実施例において説明した拡大画像Ｅの拡大率をさらに厳密に制御するものである。第２実施例の説明を行う前に、第１実施例の問題点について図面を参照して説明する。
【００７１】
図８は、図７と同様にマルチ画像表示装置に拡大画像を重ねて表示した模式図である。ただし、図８に示すマルチ画像表示装置１ａは、水平方向に４個、垂直方向に４個、合計１６個の画像表示装置Ｄを組み合わせたものである。なお、符号のつけ方や図示の方法は図７と同様である。
【００７２】
第１実施例に示した画像処理部Ｐでは、マルチ画像表示装置１の端部に位置する画像表示装置Ｄの表示部Ｌについて、表示されるべき分割画像を該端部と反対側となる端部側に拡大させて拡大画像Ｅを生成することのみを規定している。そのため、端部以外では拡大画像Ｅを表示部Ｌからどのように拡大させて（突出させて）もよい。例えば、最も簡単に、均等に突出させても構わない。しかしながら、拡大画像Ｅを表示部Ｌから均等に突出させると、図８に示すような不具合が発生し得る。
【００７３】
具体的に例えば、拡大画像Ｅ２，１と拡大画像Ｅ３，１との間で、端辺が重ならず不連続となる部分が生じる。この不連続を解消するために全体の拡大率を大きくすると、拡大画像Ｅが重複する部分が生じる。そのため、図１１に示したように画像が歪む。またこのとき、図８の拡大画像Ｅ２，１及び拡大画像Ｅ３，１のみを水平方向にそれぞれさらに拡大すれば、拡大画像を連続的にすることができる。しかしながら、拡大率が拡大画像Ｅ毎に異なるものとなるため、画像が歪む。
【００７４】
第２実施例の画像処理部Ｐは、以上の問題を解決するものである。即ち、それぞれの拡大画像Ｅの拡大率を等しくし、かつ拡大画像Ｅの表示部Ｌから突出させる長さを制御することで、歪みのない画像を表示するものである。
【００７５】
第２実施例について図面を参照して説明する。図９は、第２実施例の画像処理部における処理方法を決定するフローチャートであり、第１実施例について示した図５に相当するものである。なお、図９に示すフローチャートも、図５と同様に各画像処理部Ｐの処理に関するものであり、各画像処理部Ｐの処理方法は個別に設定され得るものとする。また、図６に示した設定画面も、本実施例において適用され得る。
【００７６】
図９に示すように、画像処理部Ｐは、最初にマルチ表示を行う設定になっているか否かを確認する（ＳＴＥＰ１ａ）。例えば、図６に示す例において、マルチ表示モードがＯＮに設定されていれば、マルチ表示モードが行われる。ここで、マルチ表示を行わない設定になっている場合（ＳＴＥＰ１ａ、ＮＯ）、通常表示を行うことを決定して終了する（ＳＴＥＰ２ａ）。
【００７７】
通常表示とは、例えば、１つの画像表示装置のみによる表示や、複数の画像表示装置が独立して行う表示などである。なお、１つの画像表示装置が表示を行う場合であったとしても、画像取得部ＰＡによる分割画像の生成や、画像拡大部ＰＢによる拡大画像の生成、画像調整部ＰＣによる出力画像の生成を行うこととしても構わない。具体的に図６に示す例において、拡大率を示す水平ベゼル調整及び垂直ベゼル調整の値が０より大きければ、拡大処理を行うこととしても構わない。さらにこの場合、四方に対して拡大を行うこととしても構わない。
【００７８】
一方、マルチ表示を行う設定になっている場合（ＳＴＥＰ１ａ、ＹＥＳ）、画像拡大部ＰＢによる拡大処理の方法が決定される。図９に示す例では、まず、水平方向の拡大処理の方法が設定される。特に本実施例では、水平位置番号ｉ及び垂直位置番号ｊと、水平方向に備えられる画像表示装置の数ｍ及び垂直方向に備えられる画像表示装置の数ｎと、に基づいて画像拡大部ＰＢによる拡大処理の方法が決定される。
【００７９】
まず、左方向の拡大率ＧＬが、下記式（２）のように設定される（ＳＴＥＰ３ａ）。なお、下記式（２）中のＴＨは、分割画像の水平方向の拡大率であり、表示部Ｌの長さを基準としたものである。即ちＴＨは、水平方向の長さを表示部Ｌの水平方向の長さに合わせた分割画像に対して乗算する拡大率である。したがって、拡大画像Ｅは（ＴＨ−１）×（表示部Ｌの水平方向の長さ）だけ、表示部Ｌから突出する。
【００８０】
ＧＬ＝ＴＨ×（ｉ−１）／（ｍ−１）  …（２）
【００８１】
次に、右方向の拡大率ＧＲが、下記式（３）のように設定される（ＳＴＥＰ４ａ）。
【００８２】
ＧＲ＝ＴＨ×（ｍ−ｉ）／（ｍ−１）  …（３）
【００８３】
次に、上方向の拡大率ＧＵが、下記式（４）のように設定される（ＳＴＥＰ５ａ）。なお、下記式（４）中のＴＶは、分割画像の垂直方向の拡大率であり、表示部Ｌの長さを基準としたものである。即ちＴＶは、垂直方向の長さを表示部Ｌの垂直方向の長さに合わせた分割画像に対して乗算する拡大率である。したがって、拡大画像Ｅは（ＴＶ−１）×（表示部Ｌの垂直方向の長さ）だけ、表示部Ｌから突出する。
【００８４】
ＧＵ＝ＴＶ×（ｊ−１）／（ｎ−１）  …（４）
【００８５】
次に、下方向の拡大率ＧＤが、下記式（５）のように設定される（ＳＴＥＰ６ａ）。
【００８６】
ＧＤ＝ＴＶ×（ｎ−ｊ）／（ｎ−１）  …（５）
【００８７】
以上のようにして、画像処理部Ｐの処理方法が決定されて終了する。なお、上記式（２）〜（５）中のＴＨやＴＶは、例えば図６に示した水平ベゼル調整や垂直ベゼル調整などの値によって決定される。また、水平位置番号ｉは、例えば、図６の水平位置の値を用いることができる。また、垂直位置番号ｊは、例えば、図６の垂直位置の値を用いることができる。また、水平方向に備えられる画像表示装置の数ｍは、例えば、図６の水平セット台数の値を用いることができる。また、垂直方向に備えられる画像表示装置の数ｎは、例えば、図６の垂直セット台数の値を用いることができる。
【００８８】
上記のように設定された方法によって得られる拡大画像の一例について、図１０に示す。図１０は、マルチ画像表示装置に拡大画像を重ねて表示した模式図である。図１０は、図８に示したマルチ画像表示装置と同様の構成である。即ち、水平方向に４個、垂直方向に４個、合計で１６個の画像表示装置から成るマルチ画像表示装置１ａについて示すものである。また、符号のつけ方や図示の方法は図８と同様である。
【００８９】
まず、マルチ画像表示装置１ａの左方の端部に備えられる画像表示装置Ｄ１，１〜Ｄ１，４について説明する。これらの画像表示装置Ｄ１，１〜Ｄ１，４は、水平位置番号ｉが１となる。このとき、左方の拡大率ＧＬは、ＴＨ×（１−１）／（４−１）＝０となる。即ち、表示部Ｌ１，１〜Ｌ１，４の左方の端辺と、拡大画像Ｅ１，１〜Ｅ１，４の左方の端辺とが重なる。一方、右方の拡大率ＧＲは、ＴＨ×（４−１）／（４−１）＝ＴＨとなる。即ち、拡大画像Ｅ１，１〜Ｅ１，４の右方の端辺は、表示部Ｌ１，１〜Ｌ１，４の右方の端辺から突出する。
【００９０】
マルチ画像表示装置１ａの右方の端部に備えられる画像表示装置Ｄ４，１〜Ｄ４，４についても同様である。これらの画像表示装置Ｄ４，１〜Ｄ４，４は、水平位置番号ｉが４となる。このとき、左方の拡大率ＧＬは、ＴＨ×（４−１）／（４−１）＝ＴＨとなり、拡大画像Ｅ４，１〜Ｅ４，４の左方の端辺は、表示部Ｌ４，１〜Ｌ４，４の左方の端辺から突出する。一方、右方の拡大率ＧＲは、ＴＨ×（４−４）／（４−１）＝０となる。即ち、表示部Ｌ４，１〜Ｌ４，４の右方の端辺と、拡大画像Ｅ４，１〜Ｅ４，４の右方の端辺とが重なる。
【００９１】
マルチ画像表示装置１ａの水平方向の端部に備えられない画像表示装置Ｄ2，１〜Ｄ2，４や、画像表示装置Ｄ３，１〜Ｄ３，４では、水平位置番号ｉが１やｍにならないため、拡大率ＧＬ及び拡大率ＧＲが０にならない。そのため、拡大画像Ｅ２，１〜Ｅ２，４及び拡大画像Ｅ３，１〜Ｅ３，４は、表示部Ｌ２，１〜Ｌ２，４及び表示部Ｌ３，１〜Ｌ３，４の左方の端辺から突出するとともに、右方の端辺からも突出する。
【００９２】
水平方向に隣接する２つの画像表示装置Ｄｐ，ｊ及びＤｐ＋１，ｊの、拡大画像Ｅｐ，ｊ及びＥｐ＋１，ｊの水平方向に突出する長さについて説明する（ただし、ｐは自然数である）。拡大画像Ｅｐ，ｊの右方の拡大率ＧＲは、ＴＨ×（ｍ−ｐ）／（ｍ−１）である。一方、拡大画像Ｅｐ＋１，ｊの左方の拡大率ＧＬは、ＴＨ×（ｐ＋１−１）／（ｍ−１）である。そのため、拡大画像Ｅｐ，ｊ及びＥｐ＋１，ｊの表示部Ｌｐ，ｊ及びＬｐ＋１，ｊの間に突出する長さの和Ｑは、表示部Ｌの水平方向の長さをＬＨとして下記式（６）のように表される。
【００９３】
Ｑ＝ＬＨ×（ＴＨ−１）×ｍ／（ｍ−１）…  （６）
【００９４】
ここで、水平方向に隣接する２つの表示部Ｌ間の長さｋＨを用いて拡大率ＴＨを表すと、式（１）と同様にして、ＴＨ＝｛ＬＨ×ｍ＋ｋＨ×（ｍ−１）｝／（ＬＨ×ｍ）＝１＋ｋＨ×（ｍ−１）／（ＬＨ×ｍ）となる。これを用いて式（６）を表すと、Ｑ＝ｋＨとなる。したがって、水平方向に隣接する表示部Ｌｐ，ｊ及びＬｐ＋１，ｊの間に突出する拡大画像Ｅｐ，ｊの右方の端辺と、拡大画像Ｅｐ＋１，ｊの左方の端辺とが重なる。即ち、拡大画像Ｅｐ，ｊ及びＥｐ＋１，ｊが接続されることとなる。
【００９５】
垂直方向についても同様である。マルチ画像表示装置１ａの上端に備えられる画像表示装置Ｄ１，１〜Ｄ４，１は、垂直位置番号ｊが１となる。このとき、上方の拡大率ＧＵは、ＴＶ×（１−１）／（４−１）＝０となる。即ち、表示部Ｌ１，１〜Ｌ４，１の上方の端辺と、拡大画像Ｅ１，１〜Ｅ４，１の上方の端辺とが重なる。一方、下方の拡大率ＧＤは、ＴＶ×（４−１）／（４−１）＝ＴＶとなる。即ち、拡大画像Ｅ１，１〜Ｅ４，１の下方の端辺は、表示部Ｌ１，１〜Ｌ１，４の下方の端辺から突出する。
【００９６】
マルチ画像表示装置１ａの下端に備えられる画像表示装置Ｄ１，４〜Ｄ４，４は、垂直位置番号ｊが４となる。このとき、上方の拡大率ＧＵは、ＴＶ×（４−１）／（４−１）＝ＴＶとなり、拡大画像Ｅ１，４〜Ｅ４，４の上方の端辺は、表示部Ｌ１，４〜Ｌ４，４の上方の端辺から突出する。一方、下方の拡大率ＧＤは、ＴＶ×（４−４）／（４−１）＝０となる。即ち、表示部Ｌ１，４〜Ｌ４，４の下方の端辺と、拡大画像Ｅ１，４〜Ｅ４，４の下方の端辺とが重なる。
【００９７】
マルチ画像表示装置１ａの垂直方向の端部に備えられない画像表示装置Ｄ１，２〜Ｄ４，２や、画像表示装置Ｄ１，３〜Ｄ４，３では、垂直位置番号ｊが１やｎにならないため、拡大率ＧＵ及び拡大率ＧＤが０にならない。そのため、拡大画像Ｅ１，２〜Ｅ４，２及び拡大画像Ｅ１，３〜Ｅ４，３は、表示部Ｌ１，２〜Ｌ４，２及び表示部Ｌ１，３〜Ｌ４，３の上方の端辺から突出するとともに、下方の端辺からも突出する。
【００９８】
垂直方向に隣接する２つの画像表示装置Ｄｉ，ｒ及びＤｉ，ｒ＋１の、拡大画像Ｅｉ，ｒ及びＥｉ，ｒ＋１の垂直方向に突出する長さについて説明する（ただし、ｒは自然数である）。拡大画像Ｅｉ，ｒの下方の拡大率ＧＤは、ＴＶ×（ｒ−１）／（ｎ−１）である。一方、拡大画像Ｅｉ，ｒ＋１の上方の拡大率ＧＬは、ＴＨ×（ｒ＋１−１）／（ｎ−１）である。そのため、拡大画像Ｅｉ，ｒ及びＥｉ，ｒ＋１の表示部Ｌｉ，ｒ及びＬｉ，ｒ＋１の間における突出する長さの和Ｓは、表示部Ｌの垂直方向の長さをＬＶとして、下記式（７）のように表される。
【００９９】
Ｓ＝ＬＶ×（ＴＶ−１）×｛ｎ／（ｎ−１）｝…  （７）
【０１００】
ここで、垂直方向に隣接する２つの表示部Ｌ間の長さｋＶを用いて拡大率ＴＶを表すと、式（１）と同様にして、ＴＶ＝｛ＬＶ×ｎ＋ｋＶ×（ｎ−１）｝／（ＬＶ×ｎ）＝１＋ｋＶ×（ｎ−１）／（ＬＶ×ｎ）となる。これを用いて式（７）を表すと、Ｓ＝ｋＶとなる。したがって、垂直方向に隣接する表示部Ｌｉ，ｒ及びＬｉ，ｒ＋１の間に突出する拡大画像Ｅｉ，ｒの下方の端辺と、拡大画像Ｅｉ，ｒ＋１の上方の端辺とが重なる。即ち、接続されることとなる。
【０１０１】
以上のように構成すると、第１実施例と同様に、マルチ画像表示装置１ａの端部において、拡大画像Ｅの端辺が表示部Ｌの端辺と重なる。そのため、この拡大画像Ｅに基づいた出力画像を表示したときに、端部の画像が表示される。したがって、認識しやすい画像を表示することが可能となる。さらに、ＧＵＩがユーザに発見されやすいものとなり、操作性を損なうことが抑制される。
【０１０２】
また、本実施例では、それぞれの拡大画像Ｅの拡大率ＴＨ，ＴＶを等しいものとしつつ、拡大画像Ｅの端辺を確実に重ねて接続することができる。そのため、拡大画像Ｅ全体を連続的な画像とすることが可能となる。したがって、図１１のように、表示される画像が歪むことを抑制することが可能となる。
【０１０３】
なお、図６においてマルチ表示モードがＯＮになっていたとしても、水平セット台数及び垂直セット台数がともに１に設定されている場合は、ＳＴＥＰ２ａの通常表示を行わせることとしても構わない。
【０１０４】
また、分割画像の大きさが、表示部Ｌの大きさと等しいものとしても構わない。特に、入力画像の水平方向（垂直方向）の長さと、表示部Ｌの水平方向（垂直方向）の長さの和と、が等しいものであっても構わない。
【０１０５】
また、上述した例は、水平方向に４個、垂直方向に４個で合計１６個の画像表示装置Ｄを備えたマルチ画像表示装置１ａに適用する場合について述べたものであるが、本実施例はこの例に限定されるものではない。マルチ画像表示装置１ａに備えられる画像表示装置Ｄの数を増減させたとしても、本実施例は何ら問題なく適用され得る。
【０１０６】
＜＜変形例＞＞
本発明の実施形態におけるマルチ画像表示装置１について、画像処理部Ｐの動作を、マイコンなどの制御装置が行うこととしても構わない。さらに、このような制御装置によって実現される機能の全部または一部をプログラムとして記述し、該プログラムをプログラム実行装置（例えばコンピュータ）上で実行することによって、その機能の全部または一部を実現するようにしても構わない。
【０１０７】
また、上述した場合に限らず、図２のマルチ画像表示装置１や図３の画像処理部Ｐは、ハードウェア、或いは、ハードウェアとソフトウェアの組み合わせによって実現可能である。また、ソフトウェアを用いてマルチ画像表示装置１や画像処理部Ｐを構成する場合、ソフトウェアによって実現される部位についてのブロック図は、その部位の機能ブロック図を表すこととする。
【０１０８】
以上、本発明における実施形態について説明したが、本発明の範囲はこれに限定されるものではなく、発明の主旨を逸脱しない範囲で種々の変更を加えて実行することができる。
【産業上の利用可能性】
【０１０９】
本発明は、画像表示装置を複数備えるとともに１つの画像の表示を行うマルチ画像表示装置に関する。また、マルチ画像表示装置に備えられる画像処理装置に関する。
【図面の簡単な説明】
【０１１０】
【図１】は、画像表示装置の構成の一例について示すブロック図である。
【図２】は、本発明の実施形態におけるマルチ画像表示装置の構成の一例について示すブロック図である。
【図３】は、画像処理部の基本構成例について示すブロック図である。
【図４】は、画像拡大部による拡大処理の概略について示す模式図である。
【図５】は、第１実施例の画像処理部における処理方法を決定するフローチャートである。
【図６】は、画像処理部の処理方法をユーザが調整する際に確認する設定画面の一例である。
【図７】は、マルチ画像表示装置に拡大画像を重ねて表示した模式図である。
【図８】は、マルチ画像表示装置に拡大画像を重ねて表示した模式図である。
【図９】は、第２実施例の画像処理部における処理方法を決定するフローチャートである。
【図１０】は、マルチ画像表示装置に拡大画像を重ねて表示した模式図である。
【図１１】は、従来のマルチ画像表示装置の一例について示す模式図である。
【図１２】は、従来のマルチ画像表示装置の一例について示す模式図である。
【符号の説明】
【０１１１】
１，１ａ    マルチ画像表示装置
１０    画像出力装置
Ｄ    画像表示装置
Ｐ    画像処理部
ＰＡ    画像取得部
ＰＢ    画像拡大部
ＰＣ    画像調整部
Ｂ    ベゼル部
Ｌ    表示部
Ｅ，Ｅａ，Ｅｂ    拡大画像
【図１】
2010039445.tif 000003
【図２】
2010039445.tif 000004
【図３】
2010039445.tif 000005
【図４】
2010039445.tif 000006
【図５】
2010039445.tif 000007
【図６】
2010039445.tif 000008
【図７】
2010039445.tif 000009
【図８】
2010039445.tif 000010
【図９】
2010039445.tif 000011
【図１０】
2010039445.tif 000012
【図１１】
2010039445.tif 000013
【図１２】
2010039445.tif 000014